(57)【要約】【課題】特定の空間に存在する臭気を、効率的に消臭することができる消臭装置を提供する。【解決手段】消臭装置１０は、居室やエントランスホールなどに設置して使用される。消臭装置は、雰囲気空気２１を誘引する誘導流２０を吹き出す吹出口３０と、誘導流によって誘引された雰囲気空気に含まれる臭気を消臭する消臭媒体４０ａを発生する発生部４０と、を有している。誘導流を発生させることによって、臭気を含む雰囲気空気は誘導流の中に取り込まれる。臭気は、誘導流内の消臭媒体に混合され、消臭される。【選択図】図１
2018175121.tif 000002
【特許請求の範囲】
【請求項１】
雰囲気空気を誘引する誘導流を吹き出す吹出口と、
前記誘導流によって誘引された前記雰囲気空気に含まれる臭気を消臭する消臭媒体を発生する発生部と、を有する消臭装置。
【請求項２】
前記消臭媒体は、消臭成分、芳香成分、イオン、オゾンの少なくとも１つを含んでいる、請求項１に記載の消臭装置。
【請求項３】
前記消臭媒体は、前記吹出口から吹き出される前の前記誘導流、および前記吹出口から吹き出された後の前記誘導流の少なくとも一方に混入される、請求項１または請求項２に記載の消臭装置。
【請求項４】
前記吹出口は、空気の流通が自在な開放部の縁の少なくとも一部に沿うように配置されている領域を有し、
前記領域において吹き出された前記誘導流によって、前記開放部を通して空気が誘引されてなる、請求項１〜３のいずれか１項に記載の消臭装置。
【請求項５】
前記吹出口は、空気の流通が自在な開放部の縁から離間して内方に配置され、
前記吹出口から吹き出された前記誘導流によって、前記開放部を通して空気が誘引されてなる、請求項１〜３のいずれか１項に記載の消臭装置。
【請求項６】
前記誘導流を形成するための空気を吸い込む吸込口と、
前記吸込口と前記吹出口とを連通する空気通路と、
空気を前記吹出口に向けて送風する送風機と、をさらに有し、
前記吸込口は、前記吹出口の吹出方向と離れる位置に配置されている、請求項１〜５のいずれか１項に記載の消臭装置。
【請求項７】
前記空気通路は、前記空気通路内において生じた結露水を集めて溜める保水部をさらに有する、請求項６に記載の消臭装置。
【請求項８】
前記吹出口から吹き出されるときの前記誘導流の風速は、０．１５ｍ／ｓ以上である、請求項１〜７のいずれか１項に記載の消臭装置。
【請求項９】
前記吹出口は、床面からの高さが、０〜５．０ｍの範囲に位置する、請求項１〜８のいずれか１項に記載の消臭装置。
【請求項１０】
前記吹出口は、上方に向かって開口し、床面からの高さが、０〜２．０ｍの範囲に位置する、請求項１〜８のいずれか１項に記載の消臭装置。
【請求項１１】
前記吹出口の周囲の少なくとも一部に設けられ、前記吹出口の上方空間への侵入を防止するクリアランス領域をさらに有する、請求項１０に記載の消臭装置。
【請求項１２】
前記クリアランス領域は、テーブルの天板を構成する、請求項１１に記載の消臭装置。
【請求項１３】
天板を有するテーブルと、
前記天板に配置され、雰囲気空気を誘引する誘導流を上方に向けて吹き出す吹出口と、
前記誘導流を形成するための空気を吸い込む吸込口と、
前記誘導流によって誘引された前記雰囲気空気に含まれる臭気を消臭する消臭媒体を発生する発生部と、を有する消臭装置。
【請求項１４】
前記吹出口は、前記天板の外周縁辺よりも内方側に配置され、
前記天板のうち前記吹出口と前記外周縁辺との間の領域は、前記吹出口の上方空間への侵入を防止するクリアランス領域を構成する、請求項１３に記載の消臭装置。
【請求項１５】
前記吹出口は、前記天板の外周縁辺のうち少なくとも一部に沿って配置される、請求項１３に記載の消臭装置。
【請求項１６】
吸殻入れ、および電子たばこへの給電部の少なくとも１つをさらに有する、請求項１〜１５のいずれか１項に記載の消臭装置。
【発明の詳細な説明】
【技術分野】
【０００１】
本発明は、臭気を消臭する消臭装置に関する。
【背景技術】
【０００２】
居室等の臭気を消臭する従来の装置として、ファンなどにより発生させた気流に芳香剤より発する芳香成分を混ぜた状態において気流を噴出し、芳香成分を居室内等に拡散させる装置がある（特許文献１を参照。）。
【先行技術文献】
【特許文献】
【０００３】
【特許文献１】特許第４６８５４２１号
【発明の概要】
【発明が解決しようとする課題】
【０００４】
特許文献１に記載された装置は、芳香成分を居室内等に拡散させることによって、特定の空間に存在する臭気を消臭しようとするものである。このように、従来の技術は、臭気発生源について狙いを定めることはしておらず、居室全体を丸ごと消臭することを意図している。このため、臭気が存在する特定の空間のみならず、居室内空間の全体または前記特定の空間よりも広い特定の範囲に、芳香成分を拡散する必要がある。この結果、消臭の効率が悪い。また、同様の理由によって、エントランスホールなどの広い空間を消臭する場合には、大風量の装置が必要になったり、多数の装置が必要になったりするなどの問題がある。
【０００５】
そこで、本発明は、特定の空間に存在する臭気を、効率的に消臭することができる消臭装置を提供することを目的とする。
【課題を解決するための手段】
【０００６】
（１）本発明に係る消臭装置は、雰囲気空気を誘引する誘導流を吹き出す吹出口と、前記誘導流によって誘引された前記雰囲気空気に含まれる臭気を消臭する消臭媒体を発生する発生部と、を有している。
【０００７】
（２）また、本発明に係る消臭装置は、天板を有するテーブルと、前記天板に配置され、雰囲気空気を誘引する誘導流を上方に向けて吹き出す吹出口と、前記誘導流を形成するための空気を吸い込む吸込口と、前記誘導流によって誘引された前記雰囲気空気に含まれる臭気を消臭する消臭媒体を発生する発生部と、を有している。
【発明の効果】
【０００８】
上記（１）の消臭装置によれば、臭気を含む雰囲気空気は、誘導流によって誘引され、誘導流の中に取り込まれる。誘導流に誘引された臭気が誘導流内の消臭媒体に混合される。消臭装置は、臭気発生源について狙いを定めて、特定の空間に存在する臭気を効率的に消臭することができる。これと同時に、消臭媒体を、誘導流とともに、周囲の空間に拡散させることができる。
【０００９】
上記（２）の消臭装置によれば、臭気を含む雰囲気空気は、天板から上方に向けて吹き出された誘導流によって誘引され、誘導流の中に取り込まれる。誘導流に誘引された臭気が誘導流内の消臭媒体に混合される。消臭装置として、テーブル型の消臭装置を提供でき、臭気発生源について狙いを定めて、特定の空間に存在する臭気を効率的に消臭することができる。これと同時に、消臭媒体を、誘導流とともに、テーブルから周囲の空間に拡散させることができる。
【図面の簡単な説明】
【００１０】
【図１】テーブル型の消臭装置の使用例を示す概念図である。
【図２】ソファー型の消臭装置の使用例を示す概念図である。
【図３】ソファー型の消臭装置の使用例を示す概念図である。
【図４】壁設置型の消臭装置の使用例を示す概念図である。
【図５】天井設置型の消臭装置の使用例を示す概念図である。
【図６】図６（Ａ）は、実施形態に係るテーブル型の消臭装置を上面側から見て示す斜視図、図６（Ｂ）は、消臭装置を底面側から見て示す斜視図である。
【図７】図７（Ａ）（Ｂ）（Ｃ）は、消臭装置の平面図、正面図、左側面図である。
【図８】図８（Ａ）は、図７（Ｃ）における８Ａ−８Ａ線に沿う断面図、図８（Ｂ）は、図７（Ｂ）における８Ｂ−８Ｂ線に沿う断面図である。
【図９】図７（Ａ）における９−９線に沿う断面図である。
【図１０】図１０（Ａ）（Ｂ）は、開放部に対する吹出口の設置位置の改変例を示す断面図である。
【図１１】図１１（Ａ）（Ｂ）は、開放部の形状の改変例を示す平面図である。
【図１２】吹出口の改変例を示す平面図である。
【図１３】図１３（Ａ）〜（Ｄ）は、吹出口の他の改変例を示す平面図である。
【図１４】図１４（Ａ）〜（Ｃ）は、改変例５に係るテーブル型の消臭装置を示す図であり、図１４（Ａ）は、全体を示す斜視図、図１４（Ｂ）は、要部を示す斜視図、図１４（Ｃ）は、要部を示す断面図である。
【図１５】図１５（Ａ）（Ｂ）は、改変例６に係る消臭装置を示す図であり、図１５（Ａ）は、全体を示す斜視図、図１５（Ｂ）は、断面図である。
【発明を実施するための形態】
【００１１】
以下、添付した図面を参照しながら、本発明の実施形態を説明する。図面において、同一の部材には同一の符号を付し、重複する説明を省略する。図面において、各部材の大きさや比率は、実施形態の理解を容易にするために誇張し、実際の大きさや比率とは異なる場合がある。
【００１２】
（消臭装置１０の使用例）
図１〜図５は、消臭装置１０の種々の使用例を示す概念図であり、図１は、テーブル型の消臭装置１０の使用例を示す概念図、図２および図３は、ソファー型の消臭装置１０の使用例を示す概念図である。図４は、壁設置型の消臭装置１０の使用例を示す概念図、図５は、天井設置型の消臭装置１０の使用例を示す概念図である。
【００１３】
消臭装置１０は、居室やエントランスホールなどに設置して使用される。図１に示すように、テーブル型の消臭装置１０は、ソファー１１の近傍に置いて使用される。ソファー型の消臭装置１０は、図２に示すように座面１２の一部分に組み込まれたり、図３に示すように背もたれ１３の部分に組み込まれたりして使用される。図４に示すように、壁設置型の消臭装置１０は、壁１４に設置して使用される。図５に示すように、天井設置型の消臭装置１０は、天井１５から吊り下げたり、天井１５に組み込まれたりして使用される。
【００１４】
消臭装置１０は、概説すれば、雰囲気空気２１を誘引する誘導流２０を吹き出す吹出口３０と、誘導流２０によって誘引された雰囲気空気２１に含まれる臭気を消臭する消臭媒体４０ａを発生する発生部４０と、を有している。
【００１５】
誘導流２０が吹き出される方向は、特に限定されないが、テーブル型やソファー型の消臭装置１０にあっては、誘導流２０はほぼ上向きに吹き出される。また、壁設置型や天井設置型の消臭装置１０にあっては、誘導流２０は、ほぼ水平方向、水平方向からやや上向き、あるいは水平方向からやや下向きなど適宜の方向に吹き出される。天井設置型の消臭装置１０にあっては、誘導流２０を下向きに吹き出してもよく、床面に排気口を設けて誘導流２０の拡がりを抑えるようにしてもよい。
【００１６】
対象となる臭気は、特に限定されないが、例えば、電子たばこの臭気や、電子たばこを使用している人の呼気に含まれる臭気を例に挙げることができる。これらの臭気は、電子たばこから発生する蒸気を吸引する人の周りの雰囲気空気２１に含まれる。臭気を含む雰囲気空気２１が存在する範囲は比較的狭い範囲である。消臭装置１０は、臭気発生源の近くに設けられる。誘導流２０を発生させることによって、臭気を含む雰囲気空気２１は、誘導流２０によって誘引され、誘導流２０の中に取り込まれる。誘導流２０には発生部４０から発生した消臭媒体４０ａが混ぜられている。誘導流２０に誘引された臭気が誘導流２０内の消臭媒体４０ａに混合される。消臭装置１０は、臭気発生源について狙いを定めており、特定の空間に存在する臭気が効果的に消臭される。これと同時に、消臭媒体４０ａは、誘導流２０とともに流れ、周囲の空間に拡散される。
【００１７】
なお、本明細書において、「消臭」とは、文字通りの消臭のみならず、脱臭や除臭をも含み、人が不快と感じる臭気を低減することや、不快と感じない程度にまで消すこと、不快と感じない種類に変化させることを広く表す言葉として使用する。また、本明細書において、「誘導流２０」には、吹出口３０から吹き出された後の空気流のみならず、吹出口３０から吹き出される前の空気流ではあるが吹出口３０から吹き出されることによって誘導流２０となる空気流をも含むものとする。
【００１８】
（実施形態）
以下、本発明の消臭装置を、実施形態に係るテーブル型の消臭装置１０を例に挙げて説明する。
【００１９】
図６（Ａ）は、実施形態に係るテーブル型の消臭装置１０を上面側から見て示す斜視図、図６（Ｂ）は、消臭装置１０を底面側から見て示す斜視図、図７（Ａ）（Ｂ）（Ｃ）は、消臭装置１０の平面図、正面図、左側面図である。図８（Ａ）は、図７（Ｃ）における８Ａ−８Ａ線に沿う断面図、図８（Ｂ）は、図７（Ｂ）における８Ｂ−８Ｂ線に沿う断面図である。図９は、図７（Ａ）における９−９線に沿う断面図である。
【００２０】
図６〜図９に示すように、テーブル型の消臭装置１０は、概説すると、天板５１を有するテーブル５０と、天板５１に配置され、雰囲気空気２１を誘引する誘導流２０を上方に向けて吹き出す吹出口３０と、誘導流２０を形成するための空気を吸い込む吸込口６０と、誘導流２０によって誘引された雰囲気空気２１に含まれる臭気を消臭する消臭媒体４０ａを発生する発生部４０と、を有している。消臭装置１０はさらに、吸込口６０と吹出口３０とを連通する空気通路７０と、空気通路７０に配置され吸込口６０から吸い込んだ空気を吹出口３０に向けて送風する送風機８０と、を有している。以下、テーブル型の消臭装置１０について詳述する。
【００２１】
テーブル型の消臭装置１０は、喫煙用テーブルの場合には、臭気発生源である電子たばこが近くに存在し、発生した臭気にきわめて近い場所において、誘導流２０に臭気を誘引することができる。また食事用テーブルの場合には、食品から発生した臭気にきわめて近い場所において、誘導流２０に臭気を誘引することができる。
【００２２】
図６および図７に示すように、テーブル５０は、天板５１と、ベース部５２と、天板５１とベース部５２とを連結する胴部５３とを有している。天板５１には、空気の流通が自在な開放部９０が貫通して形成されている。天板５１の上面に対して直交する方向から見て、開放部９０は矩形形状を有し、吹出口３０も矩形形状を有している。吹出口３０は、開放部９０の内周面９０ａに沿わせて、開放部９０の縁の全長にわたって配置されている。吹出口３０は、開放部９０を取り囲んだ状態となる。吸込口６０は、胴部５３の下端部に設けられている。胴部５３の左側面に、蓋部５４が着脱自在に取り付けられている。図８（Ａ）（Ｂ）に示すように、胴部５３の内部に発生部４０が設けられている。発生部４０を点検したり交換したりするときには、蓋部５４が取り外される。
【００２３】
図８（Ａ）（Ｂ）および図９に示すように、空気通路７０は、吸込口６０と吹出口３０とを連通するため、テーブル５０における胴部５３の内部通路７１と、胴部５３から伸びているダクト７２とを有している。内部通路７１に、発生部４０と、送風機８０とが配置されている。
【００２４】
送風機８０は、胴部５３の内部に、上下に２台設けられている。送風機８０のそれぞれは、吸引口８１および吐出口８２が形成されたファンスクロール８３と、ファンスクロール８３内に回転自在に設けられる羽根車８４と、羽根車８４を回転駆動するモータ（図示せず）とを有している。羽根車８４を回転駆動すると、吸込口６０から吸い込んだ空気は、ファンスクロール８３の吸引口８１から羽根車８４に吸引される。羽根車８４から遠心方向に放出された空気は、ファンスクロール８３の内壁に沿って流れ、吐出口８２から吐出される。このようにして、送風機８０は、吸込口６０から吸い込んだ空気を吹出口３０に向けて送風する。
【００２５】
図９および図６（Ｂ）に示すように、ダクト７２は、天板５１の下面に取り付けられている。ダクト７２は、開放部９０の下端縁に沿う環状の第１ダクト７３と、第１ダクト７３と胴部５３の内部通路７１とを連通する第２ダクト７４とを有している。環状の第１ダクト７３によって囲まれる内側空間は、天板５１における開放部９０と一体となる。第１ダクト７３は、断面が略矩形形状を有し、開放部９０の内周面９０ａと略平行に上方に向けて延びている第１壁部７３ａと、第１壁部７３ａの下端縁に連続し天板５１の下面に取り付けられる第２壁部７３ｂとを有している。第１壁部７３ａの上端縁は、開放部９０の高さ方向の途中位置まで延び、開放部９０の上端縁には達していない。第１壁部７３ａは、開放部９０の内周面９０ａとの間に所定の隙間を隔てている。開放部９０の内周面９０ａと第１壁部７３ａの上端縁との間に、吹出口３０が形成される。第２壁部７３ｂと天板５１の下面とによって形成される環状通路７５に、第２ダクト７４の一端が接続されている。環状通路７５の断面積は、吹出口３０に比べて十分に大きい。したがって、第２ダクト７４を通って環状通路７５に流入した誘導流２０は、環状通路７５全域に流れ、吹出口３０から環状に吹き出される。吹出口３０の開口面積が絞られていることから、吹き出される誘導流２０の風速が大きくなる。吹き出された誘導流２０は、開放部９０の内周面９０ａに沿って上方に流れた後、開放部９０の上端縁から上方に吹き出される。このように、開放部９０の内周面９０ａは、吹き出された誘導流２０をガイドする区間を形成する。このため、誘導流２０を、開放部９０の内周面９０ａを仮想的に上方に延長させた方向に流下させることができる。開放部９０の上端縁から吹き出された誘導流２０を集中させたい場合には、開放部９０の上端開口を若干狭くするように内周面９０ａを傾斜させる。逆に、開放部９０の上端縁から吹き出された誘導流２０を拡げたい場合には、開放部９０の上端開口を若干広くするように内周面９０ａを傾斜させる。開放部９０を取り囲むように吹き出された誘導流２０によって、符号２２によって示される矢印のように、開放部９０を通して空気が誘引される。
【００２６】
図６（Ａ）および図７（Ａ）に示すように、吹出口３０は、上方に向かって開口し、天板５１の外周縁辺５１ａよりも内方側に配置されている。天板５１のうち吹出口３０と外周縁辺５１ａとの間の領域は、吹出口３０の上方空間への侵入を防止するクリアランス領域５５を構成している。クリアランス領域５５は吹出口３０の周囲の少なくとも一部に設けられている、ということもできる。クリアランス領域５５を構成することによって、吹出口３０の上方空間に身体の一部または全部が立ち入ることを低減でき、誘導流２０が人体に当たりにくくなる。これによって、テーブル５０の使用者は、当該テーブル５０から誘導流２０が吹き出されていることを認識することが少なくなる。その結果、テーブル５０の使用者に気づかれることを少なくした、さりげない消臭処理を実施することが可能となる。
【００２７】
クリアランス領域５５は、テーブル５０の天板５１を構成している。クリアランス領域５５をテーブル５０の天板５１として使用することによって、専用のクリアランス領域５５を設ける必要がなく、消臭装置１０の小型化を図ることができる。
【００２８】
吹出口３０は、開放部９０の縁の少なくとも一部に沿うように配置されている領域を有している。この領域において吹き出された誘導流２０によって、開放部９０を通して空気が誘引される。開放部９０を通して空気が誘引されることから、臭気を含む雰囲気空気２１を誘引する誘導流２０の流量を、開放部９０を設けない場合に比較して増加させることができる。その結果、より多くの雰囲気空気２１を誘引することが可能となり、臭気をより効率的に消臭することができる。
【００２９】
好ましくは、吹出口３０は、開放部９０を間に挟んで向かい合うように配置されている領域を有している。この場合、吹き出された対をなす誘導流２０によって、開放部９０を通して空気が誘引される。より好ましくは、吹出口３０は、開放部９０を取り囲むように、すなわち開放部９０の縁の全長にわたって配置されている。この場合、開放部９０を取り囲むように吹き出された誘導流２０によって、開放部９０を通して空気が誘引される。
【００３０】
吸込口６０は、テーブル５０における胴部５３の下部に多数形成されている。このように吸込口６０は、吹出口３０の吹出方向と離れる位置に配置されている。したがって、吹出口３０から吹き出された誘導流２０が吸込口６０に吸い込まれ難く、誘導流２０の流れが乱されることがない。その結果、効率良く臭気を誘導流２０に誘引することができる。
【００３１】
発生部４０が発生する消臭媒体４０ａは、臭気を消臭することができる限りにおいて特に限定されない。例えば、消臭成分、芳香成分、イオン、オゾンの少なくとも１つを含むことができる。これらの消臭媒体４０ａを単独で使用してもよいし、例えば、消臭成分と芳香成分とを組み合わせて使用することができる。実施形態においては、発生部４０は、消臭成分および芳香成分を発生する消臭芳香剤から構成されている。芳香剤を使用する消臭法として、マスキング法、ペアリング消臭のいずれをも採用できるが、マスキング法のような強い香りを必要とせず、軽くてさわやかな香りによって気になる臭気を消臭することができるペアリング消臭が好ましい。
【００３２】
なお、消臭媒体４０ａとしてイオンを使用する場合には、発生部４０はイオン生成器から構成される。消臭媒体４０ａとしてオゾンを使用する場合には、発生部４０はオゾン生成器から構成される。
【００３３】
消臭媒体４０ａは、吹出口３０から吹き出される前の誘導流２０、および吹出口３０から吹き出された後の誘導流２０の少なくとも一方に混入される。具体的には、以下の３つの形態がある。第１に、吹出口３０よりも上流側の空気通路７０中に発生部４０を配置し、空気が吹き出される前に消臭媒体４０ａを誘導流２０に混入しておく形態である。第２に、吹出口３０よりも下流側（例えば、吹出口３０の横）に発生部４０を配置し、吹き出された誘導流２０に消臭媒体４０ａが誘引されて混入される形態である。第３に、第１の形態と第２の形態の両方を組み合わせて使用する形態である。このように、発生部４０を配置する位置を、発生部４０が発生する消臭媒体４０ａの種類などに応じて自由に選択することができる。実施形態は、空気通路７０中に発生部４０を配置し、吹出口３０から吹き出される前の誘導流２０に消臭媒体４０ａを混入している。
【００３４】
空気通路７０は、空気通路７０内において生じた結露水を集めて溜める保水部７６をさらに有している。空気通路７０の一部を形成するダクト７２は、底壁部が水平面に対して傾斜した傾斜部を有している（図８（Ｂ）を参照）。この傾斜部の傾斜方向下端部に、結露水を溜める皿部（図示せず）が、ダクト７２に対して着脱自在に設けられている。ダクト７２の傾斜部と、皿部とによって、保水部７６が構成されている。空気通路７０に保水部７６を設けることによって、空気通路７０内に結露が生じた場合には、結露水が皿部に集められるため、空気通路７０に結露水が残って消臭装置１０が劣化したり、異臭が発生したりすることを防ぐことができる。
【００３５】
消臭装置１０は、吸殻入れ、および電子たばこへの給電部の少なくとも１つをさらに有するのが好ましい。吸殻入れは、主として電子たばこ用の吸殻入れであるが、一般的な紙巻きたばこ用の吸殻入れであってもよい。給電部は、電子たばこに給電することができれば、給電するための具体的な方式は特に限定されない。例えば、給電部は、有線型の給電用コンセントの他に、ＵＳＢ等の各種給電機能を備えたコネクタや、非接触型の給電方式を採用することができる。図１に示される使用例にあっては、消臭装置１０は、電子たばこ用の吸殻入れ１０１と、給電部としての給電用コンセント１０２との両者を有している。吸殻入れ１０１や給電用コンセント１０２を設けることによって、電子たばこの喫煙用テーブルとしての使い勝手が良くなる。電子たばこを喫煙する人に、消臭装置１０に近づく動機付けを与えることができ、比較的狭い限られた空間において消臭処理を実施することが可能となる。
【００３６】
吹出口３０は、床面からの高さを、０〜５．０ｍの範囲に位置させることができる。床面からの高さが０ｍとは、床面に吹出口３０が開口している形態である。さらに詳しくは、実施形態のように、ソファー１１の近くにおいて使用するテーブル型の消臭装置１０の場合には、吹出口３０は、床面からの高さを、０〜１．２ｍの範囲に位置させることができる。この場合、吹出口３０は、足元から、カウンターテーブルの天板高さ程度の範囲に位置する。ソファー型の消臭装置１０の場合には、吹出口３０は、床面からの高さを、０〜１．４ｍの範囲に位置させることができる。この場合、吹出口３０は、足元から、背もたれの頂部高さ程度の範囲に位置する。壁設置型の消臭装置１０の場合には、吹出口３０は、床面からの高さを、０〜５．０ｍの範囲に位置させることができる。この場合、吹出口３０は、足元から、起立した状態において頭上約３ｍの範囲に位置する。天井設置型の消臭装置１０の場合には、吹出口３０は、床面からの高さを、１．４〜５．０ｍの範囲に位置させることができる。１．４ｍとしたのは、人が座った状態において、風が当たらないような高さに設定するためである。
【００３７】
吹出口３０が上方に向かって開口する形態であって、テーブル型の消臭装置１０（座って使用するテーブル５０や、立って使用するテーブル５０）に吹出口３０を設ける場合、ソファー型の消臭装置１０の肘当てや、背もたれ１３の頂部に吹出口３０を設ける場合には、吹出口３０は、床面からの高さを、０〜２．０ｍの範囲に位置させることができる。
【００３８】
上記の高さ範囲は例示にすぎず、吹出口３０から吹き出された誘導流２０が、臭気を含んだ雰囲気空気２１を誘引できる状況を作ることができる限りにおいて、適宜変更することができる。
【００３９】
次に、誘導流２０の風速について説明する。
【００４０】
実施形態の消臭装置１０は、電子たばこの臭気や、電子たばこを使用している人の呼気に含まれる臭気を消臭することを対象としている。このような臭気を消臭対象としている観点から、誘導流２０によって雰囲気空気２１を誘引する機能は、吹出口３０から吹き出されるときの誘導流２０の風速の下限値が、通常呼吸時の吐き出し風速以上であれば達成できる。そこで、人の通常呼吸時の吐き出し風速を次のようにして測定した。
【００４１】
測定治具と、風速計とを準備した。測定治具は、被験者の口を十分に覆うことができる直径１００ｍｍ、長さ１２０ｍｍの中空円筒体の内部に、風速計の検出プローブが取り付けられている。風速計は、日本カノマックス株式会社製のクリモマスター風速計、プローブモデル番号６５４２を使用した。
【００４２】
被験者に、測定治具によって口を覆いながら、普段どおりの呼吸をしてもらい、吐き出し時の平均風速（４秒間）を測定した。４人の被験者のそれぞれに、平均風速の測定を４回行い、平均値を算出した。結果を下記の表１に示す。
【００４３】
【表１】
2018175121.tif 000003
【００４４】
次に、電子たばこを使用しているときを想定して、口を若干すぼめた状態において吐き出すときの平均風速（４秒間）を同様に測定した。結果を下記の表２に示す。
【００４５】
【表２】
2018175121.tif 000004
【００４６】
表１に示すとおり、測定結果の平均値は０．１５ｍ／ｓであった。したがって、吹出口３０から吹き出されるときの誘導流２０の風速は、０．１５ｍ／ｓ以上であることが好ましい。誘導流２０の風速が０．１５ｍ／ｓ以上であれば、誘導流２０によって雰囲気空気２１を誘引し、雰囲気空気２１に含まれる臭気を消臭することが可能となる。
【００４７】
表２に示すとおり、電子たばこを使用しているときを想定した測定結果の平均値は０．６５ｍ／ｓであった。したがって、吹出口３０から吹き出されるときの誘導流２０の風速は、０．６５ｍ／ｓ以上であることがより好ましい。誘導流２０の風速が０．６５ｍ／ｓ以上であれば、電子たばこを使用しているときに吐き出された雰囲気空気２１を誘導流２０によって誘引でき、雰囲気空気２１に含まれる臭気をより一層消臭することが可能となる。
【００４８】
誘導流２０の風速の上限値は特に限定されないが、風速が大きすぎると、誘導流２０の吹き出し方向に存在する物体（例えば、植木、照明、その他の設置物）が揺れたり、倒れたりするおそれがある。したがって、誘導流２０の風速の上限値は、室内環境に影響を与えることがないように、例えば３０ｍ／ｓ程度とするのが好ましい。
【００４９】
上記の誘導流２０の風速の下限値および上限値は一例を示したにすぎない。吹出口３０から吹き出された誘導流２０が、臭気を含んだ雰囲気空気２１を誘引できる状況を作り出すことができる限りにおいて、誘導流２０の風速の下限値は適宜変更することができる。誘導流２０の風速の上限値についても、送風機８０の仕様や、誘導流２０の吹き出し方向に存在する物体の種類などに応じて適宜変更することができる。
【００５０】
実施形態の作用を説明する。
【００５１】
送風機８０の羽根車８４を回転駆動すると、吸込口６０から吸い込んだ空気は、ファンスクロール８３の吸引口８１から吸引され、吐出口８２から吐出される。消臭芳香剤から構成された発生部４０は、送風機８０によって生じた空気の流れによって、消臭成分および芳香成分を含んだ消臭媒体４０ａを徐々に発生させる。
【００５２】
消臭媒体４０ａを含んだ誘導流２０は、胴部５３の内部通路７１、および第２ダクト７４を流れ、第１ダクト７３の環状通路７５に流入する。誘導流２０は、環状通路７５を通って環状に流れ、吹出口３０から環状に吹き出される。吹出口３０の開口面積が絞られていることから、吹き出される誘導流２０の風速が大きくなる。吹き出された誘導流２０は、開放部９０の内周面９０ａに沿って上方に流れた後、開放部９０の上端縁から上方に吹き出される。開放部９０を取り囲むように吹き出された誘導流２０は、開放部９０を通して空気（図９の矢印２２を参照）を誘引する。消臭媒体４０ａは、誘導流２０に混じって誘導流２０とともに流れ、周囲の空間に拡散している。
【００５３】
図１に示すように、テーブル型の消臭装置１０は、ソファー１１の近傍に置いて使用される。ソファー１１に座った人が電子たばこを使用しているときには、電子たばこの臭気や、呼気に含まれる臭気は、人の周りの雰囲気空気２１に含まれる。臭気を含む雰囲気空気２１が存在する範囲は比較的狭い範囲である。
【００５４】
吹出口３０から吹き出されるときの誘導流２０の風速は、通常呼吸時の吐き出し風速以上に設定してある。このため、誘導流２０によって雰囲気空気２１を誘引する機能が発揮され、臭気を含む雰囲気空気２１は、誘導流２０によって誘引され、誘導流２０の中に取り込まれる。そして、誘導流２０に誘引された臭気が誘導流２０内の消臭媒体４０ａに混合され、特定の空間に存在する臭気が効果的に消臭される。これと同時に、消臭媒体４０ａは、誘導流２０とともに流れ、周囲の空間に拡散される。
【００５５】
（改変例１）
図１０（Ａ）（Ｂ）は、開放部９０に対する吹出口３０の設置位置の改変例を示す断面図である。
【００５６】
実施形態の吹出口３０は、開放部９０の内周面９０ａに沿わせて配置したが、開放部９０に対する吹出口３０の設置位置はこの場合に限定されるものではない。例えば、図１０（Ａ）に示すように、吹出口３０は、開放部９０の内周面９０ａの側に、当該内周面９０ａから内方に離間させた位置（図示例では開放部９０の略中央位置）に配置することができる。この場合においても、開放部９０の略中央位置において吹き出された誘導流２０によって、開放部９０を通して空気（矢印２２）が誘引される。
【００５７】
図１０（Ｂ）に示すように、吹出口３０は、開放部９０よりも外側に配置することができる。この場合においても、開放部９０の外側位置において吹き出された誘導流２０によって、開放部９０を通して空気（矢印２２）が誘引される。
【００５８】
（改変例２）
図１１（Ａ）（Ｂ）は、開放部９０の形状の改変例を示す平面図である。
【００５９】
実施形態の開放部９０は矩形形状を有しているが、開放部９０の形状はこの場合に限定されるものではない。例えば、図１１（Ａ）に示すように、開放部９０は円形形状を有していてもよい。図示例では、吹出口３０も円形形状を有している。吹出口３０は、開放部９０の内周面９０ａに沿わせて、開放部９０の縁の全長にわたって配置されている。誘導流２０は、開放部９０を取り囲むように円筒状に吹き出される。吹き出された誘導流２０によって、開放部９０を通して空気が誘引される。
【００６０】
また、実施形態の開放部９０は天板５１の内方に形成され、開放部９０の内周面９０ａが閉じた形状を有しているが、開放部９０の形状はこの場合に限定されるものではない。例えば、図１１（Ｂ）に示すように、開放部９０は、天板５１の外周縁辺５１ａの一部を切り欠いた溝型（または、コの字形状）を有し、開放部９０の内周面９０ａが開いた形状を有していてもよい。図示例では、吹出口３０は、開放部９０の内周面９０ａに沿わせて、開放部９０の縁の全長にわたって配置されている。誘導流２０は、一面が開放された溝型に吹き出される。吹き出された誘導流２０によって、開放部９０を通して空気が誘引される。
【００６１】
（改変例３）
図１２は、吹出口３０の改変例を示す平面図である。
【００６２】
実施形態の吹出口３０は開放部９０の内周面９０ａに沿うように配置したが、吹出口３０はこの場合に限定されるものではない。例えば、図１２に示すように、吹出口３０は、開放部９０を設けることなく、単独で設けてもよい。誘導流２０は、ほぼ平板状に吹き出される。吹き出された誘導流２０によって、周囲の空気が誘引される。
【００６３】
（改変例４）
図１３（Ａ）〜（Ｄ）は、吹出口３０の他の改変例を示す平面図である。
【００６４】
実施形態の吹出口３０は天板５１の外周縁辺５１ａよりも内方側に配置したが、吹出口３０はこの場合に限定されるものではない。例えば、図１３（Ａ）〜（Ｄ）に示すように、吹出口３０は、天板５１の外周縁辺５１ａのうち少なくとも一部に沿って配置することができる。具体的には、図１３（Ａ）に示すように、吹出口３０は、天板５１のすべての辺のそれぞれに全長にわたって配置することができる。図１３（Ｂ）に示すように、吹出口３０は、天板５１のすべての辺のそれぞれに一部分だけ配置することができる。図１３（Ｃ）に示すように、吹出口３０は、天板５１の特定の一辺に全長にわたって配置することができる。図１３（Ｄ）に示すように、吹出口３０は、天板５１の特定の一辺に一部分だけ配置することができる。このように、天板５１の外周縁辺５１ａのうち少なくとも一部に沿って吹出口３０を配置する形態によれば、天板５１の外周縁辺５１ａよりも内方側に吹出口３０を配置する場合に比較して、吹出口３０を設置する位置の選択の自由度が大きくなる。また、既存の天板５１を流用することによって、テーブル型の消臭装置１０を比較的安価に提供することも可能となる。
【００６５】
（改変例５）
図１４（Ａ）〜（Ｃ）は、改変例５に係るテーブル型の消臭装置１０を示す図であり、図１４（Ａ）は、全体を示す斜視図、図１４（Ｂ）は、要部を示す斜視図、図１４（Ｃ）は、要部を示す断面図である。なお、実施形態と同様の部材には同一の符号を付し、その説明は一部省略する。
【００６６】
改変例５に係るテーブル型の消臭装置１０は、吹出口３０から吹き出された後の誘導流２０に消臭媒体４０ａが混入されるようにした点において、吹出口３０から吹き出される前の誘導流２０に消臭媒体４０ａを混入した実施形態と相違する。
【００６７】
改変例１（図１０（Ｂ）を参照）と同様に、吹出口３０は、開放部９０よりも外側に配置されている。環状通路７５も、開放部９０の外側に配置されている。開放部９０の上端縁は円形形状を有し、吹出口３０も円形形状を有している。吹出口３０は、開放部９０の上端縁の全長にわたって配置されている。
【００６８】
発生部４０は、実施形態と同様に、消臭成分および芳香成分を発生する消臭芳香剤から構成されている。ただし、改変例５にあっては、発生部４０の配置位置が実施形態と異なる。発生部４０を収納したケーシング４１は、空気通路７０中には配置されておらず、開放部９０の略中央位置に配置されている。消臭媒体４０ａを放出する放出口４２は、吹出口３０よりも下流側に配置されている。
【００６９】
改変例５にあっては、送風機８０の羽根車８４を回転駆動すると、誘導流２０は、環状通路７５を通って環状に流れ、吹出口３０から開放部９０を取り囲むように円筒状に吹き出される。吹き出された誘導流２０によって、開放部９０を通して空気（矢印２２）が誘引される。開放部９０を通る空気流の一部がケーシング４１に沿って流れることによって、揮発した消臭媒体４０ａが放出口４２から誘引され、空気流に取り込まれる。このようにして、吹出口３０から吹き出された後の誘導流２０に消臭媒体４０ａが混入される。
【００７０】
臭気を含む雰囲気空気２１は、誘導流２０によって誘引され、誘導流２０の中に取り込まれる。そして、誘導流２０に誘引された臭気が誘導流２０内の消臭媒体４０ａに混合されることによって、臭気が効果的に消臭される。これと同時に、消臭媒体４０ａは、誘導流２０とともに流れ、周囲の空間に拡散される。
【００７１】
改変例５にあっては、消臭媒体４０ａを誘導流２０に混ぜる位置が、誘導流２０の中央（内側）であるため、誘導流２０は消臭媒体４０ａを包み込むようにして流れる。このため、誘導流２０が人と消臭媒体４０ａとを仕切るエアーカーテンの機能を発揮する。その結果、人は消臭処理を行っていることに気づきにくくなり、より一層さりげない消臭処理を実施することが可能となる。
【００７２】
消臭媒体４０ａは、吹出口３０から吹き出された後の誘導流２０に混入される。このように構成すれば、発生部４０を配置する位置を、発生部４０が発生する消臭媒体４０ａの種類などに応じて自由に選択することができる。
【００７３】
（改変例６）
図１５（Ａ）（Ｂ）は、改変例６に係る消臭装置１０を示す図であり、図１５（Ａ）は、全体を示す斜視図、図１５（Ｂ）は、断面図である。なお、実施形態と同様の部材には同一の符号を付し、その説明は一部省略する。
【００７４】
改変例６に係る消臭装置１０は、照明器具としての機能を兼ね備えている点において、そのような機能を備えていない実施形態と相違する。
【００７５】
図１５（Ａ）（Ｂ）に示すように、改変例６に係る消臭装置１０は、実施形態と同様に、雰囲気空気２１を誘引する誘導流２０を吹き出す吹出口３０と、誘導流２０によって誘引された雰囲気空気２１に含まれる臭気を消臭する消臭媒体４０ａを発生する発生部４０と、を有している。消臭装置１０はさらに、誘導流２０を形成するための空気を吸い込む吸込口６０と、吸込口６０と吹出口３０とを連通する空気通路７０と、空気を吹出口３０に向けて送風する送風機８０と、を有している。吸込口６０は、吹出口３０の吹出方向と離れる位置に配置されている。図１５（Ｂ）の符号９５は、吸込口６０から取り込んだ空気中の塵埃を除去するフィルタを示している。
【００７６】
消臭装置１０は、円筒形状の第１ケース９６と、第１ケース９６よりも大径の中空円筒形状の第２ケース９７とを有している。第１ケース９６は、周面に吸込口６０が形成され、発生部４０や送風機８０などが収納されている。第２ケース９７は、第１ケース９６に比べて軸方向長さが長い。第２ケース９７の下端面には、第１ケース９６の外周面との間に、空気の流通が自在な開放部９０が形成されている。第２ケース９７の内周面は開放部９０の内周面９０ａでもあることから、吹出口３０は、開放部９０の内周面９０ａに沿わせて配置した形態となっている。第２ケース９７は、第１ケース９６から上方に伸びている支持台９９の上面に、複数の支持脚９９ａを介して支持されている。第２ケース９７の中空は、空気通路７０のうち送風機８０と吹出口３０との間の区間を形成する。第２ケース９７は、例えば、半透明の樹脂材料から形成されている。第２ケース９７の内部には、支持台９９の２箇所にランプ９８が配置されている。ランプ９８から発せられた光は、第２ケース９７を透過して、第２ケース９７の外部に照射される。このように、改変例６の消臭装置１０は、図示する形状にあってはフロアライト型の照明器具としても機能する。
【００７７】
吹出口３０は、上方に向かって開口し、床面からの高さが２．０ｍまでの範囲に位置する。改変例６の消臭装置１０は照明器具も兼ねていることから、吹出口３０を床面に設けることはない（床面からの高さがゼロ）。吹出口３０の床面からの最低高さは、誘導流２０によって誘引すべき雰囲気空気２１が存在する高さや、照明器具としての機能を発揮する高さなどを考慮して決定される。
【００７８】
改変例６の消臭装置１０にあっては、送風機８０を駆動すると、送風機８０から吹き出された誘導流２０によって、開放部９０を通して空気（矢印２２）が第２ケース９７内に誘引される。消臭媒体４０ａを含んだ誘導流２０は、第２ケース９７の中空を通って、吹出口３０から吹き出される。臭気を含む雰囲気空気２１は、誘導流２０によって誘引され、誘導流２０の中に取り込まれる。そして、誘導流２０に誘引された臭気が誘導流２０内の消臭媒体４０ａに混合され、特定の空間に存在する臭気が効果的に消臭される。これと同時に、消臭媒体４０ａは、誘導流２０とともに流れ、周囲の空間に拡散される。さらに、ランプ９８を点灯することによって、フロアライト型の照明器具として機能させることができる。
【００７９】
（実施形態および改変例の効果について）
以上説明したように、実施形態の消臭装置１０は、雰囲気空気２１を誘引する誘導流２０を吹き出す吹出口３０と、誘導流２０によって誘引された雰囲気空気２１に含まれる臭気を消臭する消臭媒体４０ａを発生する発生部４０と、を有している。
【００８０】
このように構成すれば、臭気を含む雰囲気空気２１は、誘導流２０によって誘引され、誘導流２０の中に取り込まれる。誘導流２０に誘引された臭気が誘導流２０内の消臭媒体４０ａに混合される。消臭装置１０は、臭気発生源について狙いを定めて、特定の空間に存在する臭気を効率的に消臭することができる。これと同時に、消臭媒体４０ａを、誘導流２０とともに、周囲の空間に拡散させることができる。
【００８１】
消臭媒体４０ａは、消臭成分、芳香成分、イオン、オゾンの少なくとも１つを含んでいる。
【００８２】
このように構成すれば、臭気を消臭するのに適した消臭媒体４０ａを選択して、臭気を効率的に消臭することができる。
【００８３】
消臭媒体４０ａは、吹出口３０から吹き出される前の誘導流２０、および吹出口３０から吹き出された後の誘導流２０の少なくとも一方に混入される。
【００８４】
このように構成すれば、発生部４０を配置する位置を、発生部４０が発生する消臭媒体４０ａの種類などに応じて自由に選択することができる。
【００８５】
吹出口３０は、開放部９０の縁の少なくとも一部に沿うように配置されている領域を有し、領域において吹き出された誘導流２０によって、開放部９０を通して空気が誘引されている。
【００８６】
このように構成すれば、臭気を含む雰囲気空気２１を誘引する誘導流２０の流量を、開放部９０を設けない場合に比較して増加させることができる。その結果、より多くの雰囲気空気２１を誘引することが可能となり、臭気をより効率的に消臭することができる。
【００８７】
図１０（Ａ）に示した改変例１のように、吹出口３０は、空気の流通が自在な開放部９０の縁から離間して内方に配置され、吹出口３０から吹き出された誘導流２０によって、開放部９０を通して空気が誘引されている。
【００８８】
このように構成すれば、上記と同様に、臭気を含む雰囲気空気２１を誘引する誘導流２０の流量を、開放部９０を設けない場合に比較して増加させることができる。その結果、より多くの雰囲気空気２１を誘引することが可能となり、臭気をより効率的に消臭することができる。
【００８９】
消臭装置１０はさらに、誘導流２０を形成するための空気を吸い込む吸込口６０と、吸込口６０と吹出口３０とを連通する空気通路７０と、空気を吹出口３０に向けて送風する送風機８０と、をさらに有し、吸込口６０は、吹出口３０の吹出方向と離れる位置に配置されている。
【００９０】
このように構成すれば、吹出口３０から吹き出された誘導流２０が吸込口６０に吸い込まれ難く、誘導流２０の流れが乱されることがなく、臭気を誘導流２０に効率的に誘引することができる。
【００９１】
空気通路７０は、空気通路７０内において生じた結露水を集めて溜める保水部７６をさらに有している。
【００９２】
このように構成すれば、空気通路７０に結露水が残って消臭装置１０が劣化したり、異臭が発生したりすることを防ぐことができる。
【００９３】
吹出口３０から吹き出されるときの誘導流２０の風速は、０．１５ｍ／ｓ以上に設定してある。
【００９４】
このように構成すれば、誘導流２０によって雰囲気空気２１を誘引し、雰囲気空気２１に含まれる臭気を消臭することが可能となる。
【００９５】
吹出口３０は、床面からの高さが、０〜５．０ｍの範囲に位置している。
【００９６】
このように構成すれば、ソファー１１の近くにおいて使用するテーブル型の消臭装置１０、ソファー型の消臭装置１０、壁設置型の消臭装置１０、または天井設置型の消臭装置１０など、広範囲の消臭装置１０に適用することができる。
【００９７】
吹出口３０は、上方に向かって開口し、床面からの高さが、０〜２．０ｍの範囲に位置している。
【００９８】
このように構成すれば、テーブル型の消臭装置１０（座って使用するテーブルや、立って使用するテーブル）に吹出口３０を設けたり、ソファー型の消臭装置１０の座面１２、背もたれ１３の頂部、肘当てに吹出口３０を設けたりすることができる。また、他の用途（例えば、照明器具）を兼ねた消臭装置１０に吹出口３０を設けることができる。
【００９９】
消臭装置１０は、吹出口３０の周囲の少なくとも一部に設けられ、吹出口３０の上方空間への侵入を防止するクリアランス領域５５をさらに有している。
【０１００】
このように構成すれば、吹出口３０の上方空間に身体の一部または全部が立ち入ることを低減でき、誘導流２０が人体に当たりにくくなる。これによって、消臭装置１０の近くにいる人は、消臭装置１０から誘導流２０が吹き出されていることを認識することが少なくなる。その結果、消臭装置１０の近くにいる人に気づかれることを少なくした、さりげない消臭処理を実施することが可能となる。
【０１０１】
クリアランス領域５５は、テーブル５０の天板５１を構成している。
【０１０２】
このように構成すれば、クリアランス領域５５をテーブル５０の天板５１として使用するため、専用のクリアランス領域５５を設ける必要がなく、消臭装置１０の小型化を図ることができる。
【０１０３】
消臭装置１０は、天板５１を有するテーブル５０と、天板５１に配置され雰囲気空気２１を誘引する誘導流２０を上方に向けて吹き出す吹出口３０と、誘導流２０を形成するための空気を吸い込む吸込口６０と、誘導流２０によって誘引された雰囲気空気２１に含まれる臭気を消臭する消臭媒体４０ａを発生する発生部４０と、を有している。
【０１０４】
このように構成すれば、臭気を含む雰囲気空気２１は、天板５１から上方に向けて吹き出された誘導流２０によって誘引され、誘導流２０の中に取り込まれる。誘導流２０に誘引された臭気が誘導流２０内の消臭媒体４０ａに混合される。消臭装置１０として、テーブル型の消臭装置１０を提供でき、臭気発生源について狙いを定めて、特定の空間に存在する臭気を効率的に消臭することができる。これと同時に、消臭媒体４０ａを、誘導流２０とともに、テーブル５０から周囲の空間に拡散させることができる。
【０１０５】
テーブル型の消臭装置１０は、吹出口３０が天板５１の外周縁辺５１ａよりも内方側に配置され、天板５１のうち吹出口３０と外周縁辺５１ａとの間の領域が、吹出口３０の上方空間への侵入を防止するクリアランス領域５５を構成している。
【０１０６】
このように構成すれば、吹出口３０の上方空間に身体の一部または全部が立ち入ることを低減でき、誘導流２０が人体に当たりにくくなる。これによって、テーブル５０の使用者は、当該テーブル５０から誘導流２０が吹き出されていることを認識することが少なくなる。その結果、テーブル５０の使用者に気づかれることを少なくした、さりげない消臭処理を実施することが可能となる。
【０１０７】
図１３（Ａ）〜（Ｄ）に示した改変例４のように、吹出口３０は、天板５１の外周縁辺５１ａのうち少なくとも一部に沿って配置されている。
【０１０８】
このように構成すれば、天板５１の外周縁辺５１ａよりも内方側に吹出口３０を配置する場合に比較して、吹出口３０を設置する位置の選択の自由度が大きくなる。また、既存の天板５１を流用することによって、テーブル型の消臭装置１０を比較的安価に提供することも可能となる。
【０１０９】
消臭装置１０は、吸殻入れ１０１、および電子たばこへの給電部としての給電用コンセント１０２の少なくとも１つをさらに有している。
【０１１０】
このように構成すれば、電子たばこを喫煙する人に、消臭装置１０に近づく動機付けを与えることができ、比較的狭い限られた空間において消臭処理を効率的に実施することが可能となる。
【０１１１】
（その他の改変例）
本発明は、上述した実施形態や改変例に限られるものではなく、その他にも適宜改変可能である。
【０１１２】
送風機８０は、吸込口６０と吹出口３０とを連通する空気通路７０に配置され、吸込口６０から吸い込んだ空気を吹出口３０に向けて送風しているが、これに限定されるものではない。送風機８０は空気を吹出口３０に向けて送風し得る限りにおいて、適宜の構成に改変できる。例えば、送風機８０は、空気通路７０中に配置され空気を噴流させる噴流ノズルと、噴流ノズルを取り囲むガイド板とをさらに有する構成とすることができる。噴流ノズルの先端は、吹出口３０に向かう方向に開口する。ガイド板は、噴流ノズル先端との間に隙間を形成して配置されている。送風機８０を稼動すると、噴流ノズルの先端から空気が噴流され、この噴流による誘引効果によって吸込口６０から空気を吸引し、吹出口３０に向けて送風する。また、空気通路７０における吸込口６０の外側に送風機８０を配置して、その位置から吸込口６０に向けて送風する押し込みタイプとしてもよい。
【符号の説明】
【０１１３】
１０    消臭装置、
１１    ソファー、
１２    座面、
１３    背もたれ、
１４    壁、
１５    天井、
２０    誘導流、
２１    雰囲気空気、
２２    開放部を通して誘引される空気、
３０    吹出口、
４０    発生部、
４０ａ  消臭媒体、
４１    ケーシング、
４２    放出口、
５０    テーブル、
５１    天板、
５１ａ  天板の外周縁辺、
５２    ベース部、
５３    胴部、
５５    クリアランス領域、
６０    吸込口、
７０    空気通路、
７１    内部通路、
７２    ダクト、
７３    第１ダクト、
７３ａ  第１壁部、
７３ｂ  第２壁部、
７４    第２ダクト、
７５    環状通路、
７６    保水部、
８０    送風機、
８３    ファンスクロール、
８４    羽根車、
９０    開放部、
９０ａ  開放部の内周面、
９５    フィルタ、
９６    第１ケース、
９７    第２ケース、
９８    ランプ、
１０１  吸殻入れ、
１０２  給電用コンセント（給電部）。
【図１】
2018175121.tif 000005
【図２】
2018175121.tif 000006
【図３】
2018175121.tif 000007
【図４】
2018175121.tif 000008
【図５】
2018175121.tif 000009
【図６】
2018175121.tif 000010
【図７】
2018175121.tif 000011
【図８】
2018175121.tif 000012
【図９】
2018175121.tif 000013
【図１０】
2018175121.tif 000014
【図１１】
2018175121.tif 000015
【図１２】
2018175121.tif 000016
【図１３】
2018175121.tif 000017
【図１４】
2018175121.tif 000018
【図１５】
2018175121.tif 000019